(57)【要約】  サーバーが開示される。上記サーバーはクレジットカード使用者に対応されるネットワークアドレスに基づいて商品販売サイトでの決済通貨を決めることができ、上記商品販売サイトで販売される商品の価格を上記決まった決済通貨で提供することができる。
2015531931.tif 000002
【特許請求の範囲】
【請求項１】
商品販売サイトの運営通貨に対する為替情報及び各国の通貨情報を保存するメモリー；
使用者端末機との通信機能を行う通信部；及び
上記使用者端末機のネットワークアドレスが割り当てられた国の通貨を第１決済通貨に決め、上記第１決済通貨及び上記為替情報に基づいて選択された商品に対する第１決済金額を上記第１決済通貨に算出し、上記第１決済金額が表示されたクレジットカード決済用使用者インターフェースを上記使用者端末機に提供する制御部を含むサーバー。
【請求項２】
上記制御部は、上記使用者インターフェースを通じる使用者の決済承認要請が受信されると、上記第１決済通貨に算出された上記第１決済金額に基づいて上記選択された商品に対する承認をクレジットカード発行会社に要請することを特徴とする請求項１に記載のサーバー。
【請求項３】
上記制御部は、上記第１決済通貨が決まると、上記商品販売サイトで販売される商品に対する価格を上記第１決済通貨で提供することを特徴とする請求項１に記載のサーバー。
【請求項４】
上記制御部は、上記選択された商品に対する第２決済通貨を選択するための使用者インターフェースを上記使用者端末機に提供することを特徴とする請求項１に記載のサーバー。
【請求項５】
上記制御部は、上記使用者インターフェースを通じて上記第２決済通貨が選択されると、上記商品販売サイトで販売される商品に対する価格を上記第２決済通貨で提供することを特徴とする請求項4に記載のサーバー。
【請求項６】
上記制御部は、上記使用者インターフェースを通じて上記第２決済通貨が選択されると、上記第２決済通貨及び上記為替情報に基づいて上記選択された商品に対する第２決済金額を上記第２決済通貨に算出し、上記第２決済金額が表示された上記クレジットカード決済用使用者インターフェースを上記使用者端末機に提供することを特徴とする請求項４に記載のサーバー。
【請求項７】
上記制御部は、上記使用者端末機に提供された使用者インターフェースを通じて入力されるクレジットカードの識別番号に基づいて第３決済通貨を決め、上記第１決済通貨と上記第３決済通貨が互いに異なる場合、上記第３決済通貨及び上記為替情報に基づいて上記選択された商品に対する第３決済金額を上記第３決済通貨に算出し、上記第３決済金額が表示されたクレジットカード決済用使用者インターフェースを上記使用者端末機に提供することを特徴とする請求項１に記載のサーバー。
【請求項８】
上記制御部は、上記使用者インターフェースを通じて入力される上記クレジットカードのＢＩＮ（Ｂａｎｋ  Ｉｄｅｎｔｉｆｉｃａｔｉｏｎ  Ｎｕｍｂｅｒ）に基づいてクレジットカード発行会社を決め、上記クレジットカード発行会社が属した国の通貨を上記第３決済通貨として決めることを特徴とする請求項７に記載のサーバー。
【請求項９】
上記制御部は、上記第３通貨基盤の上記クレジットカード決済用使用者インターフェースを通じる使用者の決済承認要請が受信されると、上記第３決済通貨に算出された上記第３決済金額に基づいて上記選択された商品に対する承認を上記クレジットカード発行会社に要請することを特徴とする請求項８に記載のサーバー。
【請求項１０】
上記制御部は、上記第３決済通貨が選択されると、上記商品販売サイトで販売される商品に対する価格を上記第３決済通貨で提供することを特徴とする請求項８に記載のサーバー。
【請求項１１】
商品販売サイトの運営通貨に対する為替情報及び各国の通貨情報を保存する段階；
上記商品販売サイトに接続した使用者端末機のネットワークアドレスを獲得する段階；
上記使用者端末機のネットワークアドレスが割り当てられた国の通貨を第１決済通貨として決める段階；
上記第１決済通貨及び上記為替情報に基づいて選択された商品に対する第１決済金額を上記第１決済通貨に算出する段階；及び
上記第１決済金額が表示されたクレジットカード決済用使用者インターフェースを上記使用者端末機に提供する段階を含むサーバーでのクレジットカード決済方法。
【請求項１２】
上記サーバーでのクレジットカード決済方法は、上記第１決済通貨が決まると、上記商品販売サイトで販売される商品に対する価格を上記第１決済通貨で提供する段階をさらに含むことを特徴とする請求項１１に記載のサーバー。
【請求項１３】
上記サーバーでのクレジットカード決済方法は、上記選択された商品に対する第２決済通貨を選択するための使用者インターフェースを上記使用者端末機に提供する段階；
上記第２決済通貨及び上記為替情報に基づいて上記選択された商品の第２決済金額を上記第２決済通貨に算出する段階；及び
上記第２決済金額が表示されたクレジットカード決済用使用者インターフェースを上記使用者端末機に提供する段階をさらに含むことを特徴とする請求項１１に記載のサーバーでのクレジットカード決済方法。
【請求項１４】
上記使用者端末機に提供された使用者インターフェースを入力されるクレジットカードの識別番号に基づいて第３決済通貨を決める段階；
上記第１決済通貨と上記第３決済通貨が互いに異なる場合、上記第３決済通貨及び上記為替情報に基づいて上記選択された商品に対する第３決済金額を上記第３決済通貨に算出する段階；及び
上記第３決済金額が表示されたクレジットカード決済用使用者インターフェースを上記使用者端末機に提供する段階をさらに含むことを特徴とする請求項１１に記載のサーバーでのクレジットカード決済方法。
【請求項１５】
商品販売サイトの運営通貨に対する為替情報及び各国の通貨情報を保存するメモリー；
使用者端末機との通信機能を行う通信部；及び
上記通信部を通じて上記使用者端末機の位置関連情報を受信し、上記受信された位置関連情報に基づいて上記使用者端末機に対応される国を決め、上記決まった国の通貨を選択された商品に対する決済通貨として決める制御部を含むサーバー。
【請求項１６】
上記使用者端末機の位置関連情報は、上記使用者端末機の位置座標情報であることを特徴とする請求項１５に記載のサーバー。
【請求項１７】
上記使用者端末機の位置関連情報は、上記使用者端末機の環境設定情報（ｃｏｎｆｉｇｕｒａｔｉｏｎ  ｉｎｆｏｒｍａｔｉｏｎ）に含まれた位置関連情報であることを含むことを特徴とする請求項１５に記載のサーバー。
【請求項１８】
上記制御部は、上記選択された商品に対する決済通貨を選択するための使用者インターフェースを上記使用者端末機に提供し、上記使用者インターフェースを通じて決済通貨が選択されると、上記選択された商品に対する決済通貨として決めることを特徴とする請求項１５に記載のサーバー。
【請求項１９】
上記制御部は、クレジットカードの識別番号を入力するための使用者インターフェースを上記使用者端末機に提供し、上記使用者インターフェースを通じて入力される上記クレジットカード識別番号に基づいて上記選択された商品に対する決済通貨を決めることを特徴とする請求項１５に記載のサーバー。
【請求項２０】
上記制御部は、上記使用者インターフェースを通じて入力される上記クレジットカードのＢＩＮ（Ｂａｎｋ  Ｉｄｅｎｔｉｆｉｃａｔｉｏｎ  Ｎｕｍｂｅｒ）に基づいてクレジットカード発行会社を決め、上記クレジットカード発行会社が属した国の通貨を上記選択された商品に対する決済通貨として決めることを特徴とする請求項１９に記載のサーバー。
【発明の詳細な説明】
【技術分野】
【０００１】
本発明はクレジットカード決済技術に関するもので、より詳しくは、商品販売サイトの決済通貨を使用者中心に決め、決まった決済通貨に基づいて販売商品の価格を提供し、決まった決済通貨に基づいて選択された商品に対する決済を行うことができるクレジットカード決済技術に関するものである。
【背景技術】
【０００２】
海外で運営する商品販売サイトで商品を購買してクレジットカードで決済する場合、ＶＩＳＡなど国際ブランド社の決済網を通じて使ったクレジットカードの発行会社に決済代金が請求される。
【０００３】
この時、商品販売サイトの運営通貨とカード発行会社が属した国の通貨が互いに異なる場合がある。この場合、クレジットカード決済代金の請求時点にクレジットカード発行会社が適用する為替がクレジットカード使用時点と差があって、カードの使用者が考えた金額と違う金額が請求されることがある。また、カード発行会社によっては、海外利用手数料など別途の追加手数料が賦課される場合もある。これにより、商品販売サイト運営者の意図とは関係なく、カード使用者から不満が寄せられる可能性も高い。
【０００４】
また、海外で運営する商品販売サイトでは販売される商品の価格を上記商品販売サイトの運営通貨だけで提供することが一般的であって、カード使用者は不便な場合が多かった。
【発明の概要】
【発明が解決しようとする課題】
【０００５】
本発明が解決しようとする技術的課題は、商品販売サイトに接続したクレジットカード使用者に対応されるネットワークアドレス、使用者端末機から受信される使用者端末機の位置関連情報、上記クレジットカード使用者の選択、またはクレジットカード識別番号に基づいてクレジットカード使用者中心に決済通貨を決めることができるサーバー及び該サーバーでのクレジットカード決済方法を提供することである。
【０００６】
本発明が解決しようとする他の技術的課題は、商品販売サイトで販売される商品の価格をクレジットカード使用者中心に決まった決済通貨で提供することができるサーバー及び該サーバーでのクレジットカード決済方法を提供することである。
【０００７】
本発明が達成しようとする技術的課題は、以上で言及した技術的課題に制限されなく、言及されていないまた他の技術的課題は以下の記載から本発明が属する技術分野において通常の知識を有するものに明確に理解され得る。
【課題を解決するための手段】
【０００８】
上記技術的課題を解決するために、本発明によるサーバーは、商品販売サイトの運営通貨に対する為替情報及び各国の通貨情報を保存するメモリー；使用者端末機との通信機能を行う通信部；及び上記使用者端末機のネットワークアドレスが割り当てられた国の通貨を第１決済通貨として決め、上記第１決済通貨及び上記為替情報に基づいて選択された商品に対する第１決済金額を上記第１決済通貨に算出し、上記第１決済金額が表示されたクレジットカード決済用使用者インターフェースを上記使用者端末機に提供する制御部を含むことができる。
【０００９】
一方、上記制御部は、上記選択された商品に対する決済通貨を選択するための使用者インターフェースを上記使用者端末機に提供することもできる。また、上記制御部は上記使用者端末機に提供された使用者インターフェースを入力されるクレジットカードの識別番号に基づいて決済通貨を決めることもできる。
【００１０】
また、上記制御部は選択された商品に対する決済通貨が決まると、上記商品販売サイトで販売される商品に対する価格を決まった決済通貨で提供することができる。
【００１１】
上記技術的課題を解決するために、本発明によるサーバーでのクレジットカード決済方法は、商品販売サイトの運営通貨に対する為替情報及び各国の通貨情報を保存する段階；上記商品販売サイトに接続した使用者端末機のネットワークアドレスを獲得する段階；上記使用者端末機のネットワークアドレスが割り当てられた国の通貨を第１決済通貨として決める段階；上記第１決済通貨及び上記為替情報に基づいて選択された商品に対する第１決済金額を上記第１決済通貨に算出する段階；及び上記第１決済金額が表示されたクレジットカード決済用使用者インターフェースを上記使用者端末機に提供する段階を含むことができる。
【００１２】
一方、上記サーバーでのクレジットカード決済方法は、上記選択された商品に対する決済通貨を選択するための使用者インターフェースを上記使用者端末機に提供する段階をさらに含むことができる。また、上記サーバーでのクレジットカード決済方法は、上記使用者端末機に提供された使用者インターフェースを入力されるクレジットカードの識別番号に基づいて決済通貨を決める段階をさらに含むことができる。
【００１３】
また、上記サーバーでのクレジットカード決済方法は、選択された商品に対する決済通貨が決まると、上記商品販売サイトで販売される商品に対する価格を決まった決済通貨で提供する段階をさらに含むことができる。
【００１４】
上記技術的課題を解決するための本発明の他の実施例によるサーバーは、商品販売サイトの運営通貨に対する為替情報及び各国の通貨情報を保存するメモリー；使用者端末機との通信機能を行う通信部；及び上記通信部を通じて上記使用者端末機の位置関連情報を受信し、上記受信された位置関連情報に基づいて上記使用者端末機に対応される国を決め、上記決まった国の通貨を選択された商品に対する決済通貨として決める制御部を含むことができる。
【発明の効果】
【００１５】
本発明によるサーバー及び該サーバーでのクレジットカード決済方法によれば、商品販売サイトに対する決済通貨はクレジットカード使用者に対応されるネットワークアドレス、使用者端末機から受信される使用者端末機の位置関連情報、上記クレジットカード使用者の選択、またはクレジットカード識別番号に基づいてクレジットカード使用者中心に決めることができる。
【００１６】
本発明によるサーバー及び該サーバーでのクレジットカード決済方法によれば、商品販売サイトで販売される商品の価格はクレジットカード使用者中心に決まった決済通貨で提供されることができる。
【図面の簡単な説明】
【００１７】
【図１】本発明によるクレジットカード決済システムの構成図である。
【図２】本発明による商品販売サイト管理サーバーのブロック図である。
【図３】本発明による商品販売サイト管理サーバーで行われるクレジットカード決済方法の一例を示す流れ図である。
【図４】図３に示したカード決済方法によるクレジットカード決済用使用者インターフェースを示す。
【図５】本発明による商品販売サイト管理サーバーで行われるクレジットカード決済方法の他の例を示す流れ図である。
【図６】図５に示したクレジットカード決済方法にしたがって商品販売サイトで提供する商品価格が決まった決済通貨で表示されることを示す。
【図７】本発明による商品販売サイト管理サーバーで行われるクレジットカード決済方法のまた他の例を示す流れ図である。
【図８】図７に示したクレジットカード決済方法にしたがって商品販売サイトの決済通貨が決まる例を示す。
【図９】本発明による商品販売サイト管理サーバーで行われるクレジットカード決済方法のまた他の例を示す流れ図である。
【図１０】図９に示したクレジットカード決済方法にしたがってクレジットカード識別番号の入力のための使用者インターフェースが使用者端末機に提供された例を示す。
【図１１】図９に示したクレジットカード決済方法の中でクレジットカード識別番号に基づいて商品販売サイトの決済通貨が決まる段階の一例を示す流れ図である。
【図１２】クレジットカード識別番号が商品販売サイトの決済通貨決定に利用されることを説明するための図面である。
【図１３】本発明による商品販売サイト管理サーバーで行われるクレジットカード決済方法のまた他の例を示す流れ図である。
【図１４】図１３に示したクレジットカード決済方法の一例を示す流れ図である。
【図１５】図１３に示したクレジットカード決済方法の他の例を示す流れ図である。
【発明を実施するための形態】
【００１８】
本発明及び本発明の動作上の利点及び発明の実施によって達成される目的を充分に理解するためには、本発明の好ましい実施例を例示する添付図面及び添付図面に記載された内容を参照しなければならない。
【００１９】
本明細書においては何れか一つの構成要素が他の構成要素にデータまたは信号を「送信または伝達」する場合には、上記構成要素は上記他の構成要素に直接上記データまたは信号を送信または伝達することができ、少なくとも一つのまた他の構成要素を通じて上記データまたは信号を上記他の構成要素に送信することができることを意味する。また、以下の説明で用いられる構成要素に対する接尾詞「モジュール」及び「部」は明細書作成上の便利を考慮して付けたり混用されたもので、それ自体が互いに区別される意味または役割を果たすのではない。
【００２０】
本発明の上述した目的、特徴及び長所は添付された図面に係わる以下の詳細な説明を通じてより明確になる。以下、添付された図面を参照して本発明による好ましい実施例を詳しく説明する。明細書全般にかけて同じ参照符号は同じ構成要素を示す。また、本発明に係わる公知機能あるいは構成に対する具体的な説明が本発明の要旨を不必要に曖昧にすると判断される場合、その詳細な説明を省略する。
【００２１】
図１は本発明によるクレジットカード決済システム（１０）の構成図である。上記クレジットカード決済システム（１０）を通じてカード所持者（即ち、使用者）は商品販売サイトでのクレジットカード決済を行うことができる。
【００２２】
上記クレジットカード決済システム（１０）は使用者端末機（１００）、商品販売サイト管理サーバー（２００）、カード発行会社サーバー（３００）及び決済会社サーバー（４００）を含む。使用者は上記使用者端末機（１００）を通じて上記商品販売サイト管理サーバー（２００）に接続する。本明細書で説明される使用者端末機（１００）は、図１に示すような本体（１１０）及びモニター（１２０）を含むＰＣ（Ｐｅｒｓｏｎａｌ  Ｃｏｍｐｕｔｅｒ）であってもよく、携帯電話、スマートフォン（ｓｍａｒｔ  ｐｈｏｎｅ）、ラップトップコンピューター  （ｌａｐｔｏｐ  ｃｏｍｐｕｔｅｒ）、スマートＴＶなどが含まれることができる。しかし、本発明の範囲がこれに限定されるのではない。
【００２３】
上記商品販売サイト管理サーバー（２００）は上記使用者端末機（１００）のネットワークアドレスを獲得し、上記獲得されたネットワークアドレスに基づいて商品販売サイトで販売される商品の決済通貨を決めることができる。ここで、上記使用者端末機（１００）のネットワークアドレスは上記使用者端末機（１００）のＩＰ（Ｉｎｔｅｒｎｅｔ  Ｐｒｏｔｏｃｏｌ）アドレスであることができる。また、上記使用者端末機（１００）のネットワークアドレスは上記使用者端末機（１００）のＭＡＣ（Ｍｅｄｉａ  Ａｃｃｅｓｓ  Ｃｏｎｔｒｏｌ）アドレスであることもできる。
【００２４】
また、上記商品販売サイト管理サーバー（２００）は決済通貨を選択するための使用者インターフェースを上記使用者端末機（１００）に提供することができる。また、上記商品販売サイト管理サーバー（２００）はクレジットカード識別番号を入力するための使用者インターフェースを上記使用者端末機（１００）に提供することができる。上記使用者インターフェースを通じてクレジットカード識別情報が入力されると、上記商品販売サイト管理サーバー（２００）は上記クレジットカード識別情報に基づいて決済通貨を決めることもできる。
【００２５】
上記商品販売サイト管理サーバー（２００）は上記決まった決済通貨で上記商品販売サイトで使用者によって選択された商品に対する決済過程を行うことができる。即ち、上記商品販売サイト管理サーバー（２００）は上記選択された商品に対する決済金額を上記決まった決済通貨に算出し、上記算出された決済金額が表示されたクレジットカード決済用使用者インターフェースを上記使用者端末機（１００）に提供することができる。
【００２６】
また、上記商品販売サイト管理サーバー（２００）は上記クレジットカード決済用使用者インターフェースを通じて使用者の決済承認要請が受信されると、上記決まった決済通貨に算出された決済金額で上記選択された商品に対する承認を上記カード発行会社サーバー（３００）に要請する。上記決済会社サーバー（４００）は上記カード発行会社サーバー（３００）から上記決まった決済通貨に算出された決済金額に基いた精算代金を受領し、商品販売主体の口座に上記商品販売代金を支給することができる。
【００２７】
また、上記商品販売サイト管理サーバー（２００）は上記商品販売サイト管理サーバー（２００）で販売される商品に対する価格を上記決まった決済通貨で提供することもできる。この時、上記商品販売サイト管理サーバー（２００）は上記販売される商品の価格を上記商品販売サイトの運営通貨及び上記決まった決済通貨で提供することもできる。
【００２８】
図２は本発明による商品販売サイト管理サーバー（２００）のブロック図である。図２によれば、上記商品販売サイト管理サーバー（２００）はメモリー（２１０）、通信部（２２０）及び制御部（２３０）を含む。
上記メモリー（２１０）には商品販売サイトの運営通貨に対する為替情報、各国の通貨情報などが保存される。
【００２９】
また、上記メモリー（２１０）には上記商品販売サイト管理サーバー（２００）の全般的な動作を制御するための運営体系だけではなく、各種アプリケーションプログラムが保存されることができる。また、上記メモリー（２１０）には上記販売サイト会員関連情報、上記商品販売サイトで販売される商品関連情報など商品販売に係わる各種データが保存されることもできる。
【００３０】
上記通信部（２２０）は上記商品販売サイトに接続した使用者端末機（１００）、カード発行会社サーバー（３００）など外部装置との通信機能を行うことができる。上記制御部（２３０）は上記商品販売サイト管理サーバー（２００）の全般的な動作を制御する。
【００３１】
例えば、上記商品販売サイトに接続した使用者端末機（１００）のネットワークアドレス、使用者の選択、使用者のクレジットカードの識別番号の中の少なくとも一つに基づいて上記商品販売サイトでの決済通貨を決めることができる。決済通貨が決まると、上記制御部（２３０）は上記商品販売サイトで販売される商品の価格を決まった通貨で提供することができる。この時、上記制御部（２３０）は既存の商品販売サイトの運営通貨で上記商品販売サイトで販売される商品の価格及び為替情報を上記決まった通貨で提供された商品の価格と一緒に提供することもできる。以下では、図３〜図１２を参照して、上記商品販売サイト管理サーバー（２００）で行われるクレジットカード決済方法に対する具体的な例を説明する。
【００３２】
図３は本発明による商品販売サイト管理サーバー（２００）で行われるクレジットカード決済方法の一例を示す流れ図である。以下、必要な図面を参照して上記クレジットカード決済方法を説明する。
【００３３】
まず、上記商品販売サイト管理サーバー（２００）のメモリー（２１０）には商品販売サイトでの運営通貨、それに対する他の通貨の為替情報、及び各国の通貨情報を保存する（Ｓ１００）。このような情報は上記商品販売サイト管理サーバー（２００）の初期設定段階で上記メモリー（２１０）に保存されることができ、その後、変動される為替情報に基づいてアップデートされることが好ましい。
【００３４】
上記商品販売サイトに商品販売サイトが接続すれば、上記制御部（２３０）は上記商品販売サイトのネットワークアドレスを獲得する（Ｓ１１０）。その後、上記制御部（２３０）は上記商品販売サイトのネットワークアドレスに基づいて使用者が選択した商品に対する決済を行う決済通貨を決める（Ｓ１２０）。
【００３５】
例えば、上記商品販売サイトの運営通貨はアメリカドル貨幤や、上記商品販売サイトのネットワークアドレスが韓国に割り当てられた場合、上記制御部（２３０）は韓国ウォン貨を上記商品販売サイトに対する決済通貨として決めることができる。これは、一般的に韓国に割り当てられたネットワークアドレスを持つ使用者端末機（１００）を通じて上記商品販売サイトに接続した使用者は韓国クレジットカード発行会社で発行したクレジットカードを持っている可能性がそれほど高いからである。
【００３６】
決済通貨が決まれば、上記制御部（２３０）は、決まった決済通貨及びメモリー（２１０）に保存された為替情報に基づいて、使用者によって選択された商品に対する決済金額を決まった決済通貨に算出し（Ｓ１３０）、算出された決済金額が表示された使用者インターフェースを商品販売サイトに提供する（Ｓ１４０）。
【００３７】
その後、使用者の上記選択された商品に対する決済承認要請が上記使用者インターフェースを通じて受信される（Ｓ１５０）。すると、上記制御部（２３０）は上記選択された商品に対する承認を上記カード発行会社サーバー（３００）に要請する（Ｓ１６０）。
【００３８】
図４は図３に示したクレジットカード決済方法によるクレジットカード決済用使用者インターフェースを示す。参考に、図４はアメリカドルを運営通貨とする商品販売サイトに韓国に割り当てられたネットワークアドレスを持つ使用者端末機（１００）が接続した場合、上記使用者端末機（１００）を通じて提供される決済用使用者インターフェースである。
【００３９】
図４によれば、上記使用者インターフェースには使用者が選択した商品、上記選択された数量、上記選択された商品の価格（１１０Ａ）、決済のためのクレジットカード入力領域などが表示されることが分かる。特に、上記選択された商品の価格は元々商品販売サイトの運営通貨であるアメリカドル貨幤で表示されると同時に韓国ウォン貨でも表示されることが分かる。
【００４０】
図３及び図４に示すように、本発明によるサーバー（２００）及び上記サーバー（２００）でのクレジットカード決済方法によれば、使用者は使用者端末機（１００）に割り当てられたネットワークアドレスに基づいて上記使用者中心に決まった決済通貨で商品販売サイトでのカード決済サービスを受けることができる。
【００４１】
図５は本発明による商品販売サイト管理サーバー（２００）で行われるクレジットカード決済方法の他の例を示す流れ図である。以下、必要な図面を参照して上記クレジットカード決済方法を説明する。
【００４２】
まず、図３に示した段階（Ｓ１００〜Ｓ１２０）にしたがって商品販売サイトに対する決済通貨が決まる。すると、上記商品販売サイト管理サーバー（２００）の制御部（２３０）は上記販売サイトで販売される商品の価格を上記決まった通貨に換算する（Ｓ２００）。その後、上記制御部（２３０）は決まった通貨に換算された商品の価格を使用者端末機（１００）に提供する（Ｓ２１０）。この時、上記制御部（２３０）は上記販売される商品の価格を上記商品販売サイトの元々運営通貨として上記使用者端末機（１００）に提供することもできる。
【００４３】
図６は図５に示したクレジットカード決済方法にしたがって商品販売サイトで提供する商品価格が決まった決済通貨で表示されることを示す。参考に、図６はアメリカドル貨幤が運営通貨である商品販売サイトに韓国に割り当てられたネットワークアドレスを通じて使用者端末機（１００）が接続したケースである。
【００４４】
図６によれば、上記商品販売サイト管理サーバー（２００）は上記商品販売サイトで提供する商品の価格を元々の運営通貨であるアメリカドル貨幤で提供すると同時に、使用者端末機（１００）のネットワークアドレスに基づいて決まった韓国ウォン貨（１１０Ｂ）でも提供することが分かる。
【００４５】
図５及び図６に示すように、本発明によるサーバー（２００）及び上記サーバー（２００）でのクレジットカード決済方法によれば、使用者は使用者端末機（１００）に割り当てられたネットワークアドレスに基づいて上記使用者中心に決まった決済通貨に換算された商品の価格を確認しながら上記商品販売サイトを通じるショッピングを行うことができる。
【００４６】
図７は本発明による商品販売サイト管理サーバー（２００）で行われるクレジットカード決済方法のまた他の例を示す流れ図である。以下、必要な図面を参照して上記クレジットカード決済方法を説明する。
【００４７】
まず、上記商品販売サイト管理サーバー（２００）のメモリー（２１０）には商品販売サイトの運営通貨に対する為替情報及び各区の通貨情報が保存される（Ｓ３００）。その後、上記商品販売サイト管理サーバー（２００）の制御部（２３０）は上記商品販売サイトに接続した使用者端末機（１００）に、決済通貨を選択するための使用者インターフェースを提供する（Ｓ３１０）。
【００４８】
上記使用者インターフェースを通じて特定通貨が選択されると、上記制御部（２３０）は上記選択された通貨を上記商品販売サイトに対する決済通貨として決め（Ｓ３２０）、上記決まった決済通貨及び為替情報に基づいて上記商品販売サイトで販売される商品の価格を上記決まった決済通貨に換算して上記使用者端末機（１００）に提供することができる（Ｓ３３０）。その後、上記制御部（２３０）が使用者が上記商品販売サイトで販売される商品の中で購買しようとする特定商品に対する使用者の選択を認知する（Ｓ３４０）。すると、上記制御部（２３０）は上記選択された商品に対する決済用使用者インターフェースを上記使用者端末機（１００）に提供する（Ｓ３５０）。
【００４９】
図８は図７に示したクレジットカード決済方法にしたがって商品販売サイトの決済通貨が決まる例を示す。参考に、図８はアメリカドル貨幤が運営通貨である商品販売サイトで決済通貨を選択する例を示す。
【００５０】
図８の（ａ）は商品販売サイト管理サーバー（２００）の制御部（２３０）が決済通貨選択のためのポップアップウインドー（１１０Ｃ）を使用者端末機（１００）に提供したことを示す。図８の（ａ）に示したように、使用者が上記ポップアップウインドー（１１０Ｃ）にマウスカーソルーを移動させた後マウスをクリックする。すると、上記制御部（２３０）は図８の（ｂ）に示したように、アメリカドル貨幤、日本円、韓国ウォン貨などを決済通貨として選択することができる使用者インターフェース（１１０Ｄ）を使用者端末機（１００）に提供することが分かる。
【００５１】
図７及び図８示すように、本発明によるサーバー（２００）及び上記サーバー（２００）でのクレジットカード決済方法によれば、使用者は商品販売サイトでの決済通貨を直接選択することができる。
【００５２】
図９は本発明による商品販売サイト管理サーバー（２００）で行われるクレジットカード決済方法のまた他の例を示す流れ図である。以下、必要な図面を参照して上記クレジットカード決済方法を説明する。
【００５３】
まず、図３に示したクレジットカード決済方法にしたがって使用者端末機（１００）のネットワークアドレスに基づいて商品販売サイトの決済通貨が決まる（Ｓ４００）。上記商品販売サイトの第１決済通貨が決まった後、上記商品販売サイト管理サーバー（２００）の制御部（２３０）はクレジットカード識別番号入力のための使用者インターフェースを上記使用者端末機（１００）に提供する（Ｓ４１０）。
【００５４】
例えば、上記制御部（２３０）は上記使用者端末機（１００）が上記商品販売サイトに接続すれば、直ちにクレジットカード識別番号入力欄を含む使用者インターフェースを上記使用者端末機（１００）に提供することができる。また、上記制御部（２３０）は、図８と同様に、クレジットカード識別番号入力を誘導するポップアップウインドーを提供し、上記ポップアップウインドーに対する使用者の選択が行われると、クレジットカード識別番号入力欄を含むポップアップウインドーを上記使用者端末機（１００）に提供することもできる。また、上記制御部（２３０）は、図４に示したクレジットカード決済用使用者インターフェースを上記クレジットカード識別番号入力のための使用者インターフェースとして利用することができる。
【００５５】
即ち、上記制御部（２３０）は上記使用者端末機（１００）が上記商品販売サイトに接続すると同時に、上記使用者が上記商品販売サイトを見ている途中に使用者が選択した特定時点、または使用者が選択した商品に対する最終決定段階に上記クレジットカード識別情報の入力のための使用者インターフェースを上記使用者端末機（１００）に提供することができる。
【００５６】
また、図９によれば、上記使用者インターフェースを通じてクレジットカード識別番号が受信されると、上記制御部（２３０）は上記受信されたクレジットカード識別番号に基づいて上記商品販売サイトの第２決済通貨を決める（Ｓ４２０）。上記第２決済通貨が決まると、上記制御部（２３０）は上記第２決済通貨が第１決済通貨と同一するかを判断する（Ｓ４３０）。
【００５７】
もし、上記第２決済通貨が上記第１決済通貨と同一すれば、上記制御部（２３０）は決済通貨の変更なしに第１決済通貨で選択された商品に対する決済を行う（Ｓ４４０）。しかし、上記第２決済通貨が上記第１決済通貨と異なる場合、上記制御部（２３０）は第２決済通貨で選択された商品に対する決済を行う（Ｓ４５０）。それは、使用者端末機（１００）のネットワークアドレスに基づいて決まった第１決済通貨より使用者によって入力されたクレジットカード識別番号に基づいて決まった第２決済通貨がより正確で使用者の意図に合う通貨であるからである。
【００５８】
一方、選択された商品に対する第１決済通貨または第２決済通貨を基盤とする決済過程は、当業者が前述した実施例に基づいて容易に導出することができるものであり、それに対する詳細な説明は省略する。
【００５９】
図１０は図９に示したクレジットカード決済方法にしたがってクレジットカード識別番号入力のための使用者インターフェースが使用者端末機（１００）に提供された例を示す。参考に、図１０は使用者端末機（１００）が商品販売サイトに接続すると同時に、クレジットカード識別番号入力欄（１１０Ｅ）が上記使用者端末機（１００）に提供されたことを示す。
【００６０】
使用者は上記商品販売サイトに接続する次第に上記クレジットカード識別番号入力欄（１１０Ｅ）にクレジットカード識別番号を入力することもでき、上記商品販売サイトに接続した後所定時間が経った特定時点にクレジットカード識別番号を上記入力欄（１１０Ｅ）に入力することもできる。即ち、上記入力欄（１１０Ｅ）を通じて受信されるクレジットカード識別番号に基づいた第２決済通貨の決定時点は使用者のよって選択されることができる。
【００６１】
一方、図９及び図１０に示していないが、上記制御部（２３０）は上記クレジットカード識別番号に基づいて第２決済通貨が決まると、上記商品販売サイトで販売される商品の価格を上記第２決済通貨で提供することができる。
【００６２】
図１１は図９に示したクレジットカード決済方法の中でクレジットカード識別番号に基づいて商品販売サイトの決済通貨が決まる段階（Ｓ４２０）の一例を示す流れ図である。以下、必要な図面を参照して上記決済通貨決定段階を説明する。
【００６３】
使用者端末機（１００）に提供された使用者インターフェースを通じてクレジットカード識別番号が獲得される（Ｓ４２１）。すると、上記制御部（２３０）は上記クレジットカード識別番号からクレジットカードのＢＩＮを抽出する（Ｓ４２２）。ここで、クレジットカードのＢＩＮ（Ｂａｎｋ  Ｉｄｅｎｔｉｆｉｃａｔｉｏｎ  Ｎｕｍｂｅｒ）とは、クレジットカード識別番号の一桁から六桁までの番号を意味する。クレジットカードのＢＩＮには当該カードがどの国のどのカード社が発行したカードであるか、カード会員が一般、ゴールド、個人、法人であるのかに対する情報が含まれている。
【００６４】
上記クレジットカードのＢＩＮが抽出されると、上記制御部（２３０）は上記クレジットカードのＢＩＮに基づいて上記クレジットカードの発行会社を決め（Ｓ４２３）、上記クレジットカードの発行会社が属した国の通貨を商品販売サイトの決済通貨として決める（Ｓ４２４）。
図１２はクレジットカード識別番号が商品販売サイトの決済通貨の決定に利用されることを説明するための図面である。
【００６５】
図１２によれば、クレジットカード（５００）は１６桁のクレジットカード識別番号（５１０）が表示されていることが分かる。本発明による商品販売サイト管理サーバー（２００）は上記識別番号（５１０）の中の前の６桁のＢＩＮ（５２０）に含まれた情報に基づいて上記商品販売サイトの決済通貨を決めることができる。
【００６６】
図１３は本発明による商品販売サイト管理サーバー（２００）で行われるクレジットカード決済方法のまた他の例を示す流れ図である。以下、必要な図面を参照して上記クレジットカード決済方法を説明する。
【００６７】
まず、上記サーバー（２００）のメモリー（２１０）に商品販売サイトの運営通貨に対する為替情報及び各国の通貨情報が保存される（Ｓ５００）。そして、商品販売サイトに接続した使用者端末機（１００）から上記使用者端末機（１００）の位置関連情報が受信される（Ｓ５１０）。
【００６８】
ここで、上記使用者端末機（１００）の位置関連情報とは、直接上記使用者端末機（１００）の位置を表す情報、間接的に上記使用者端末機（１００）の位置を表す情報が含まれることができる。例えば、上記使用者端末機（１００）の位置関連情報には上記使用者端末機（１００）の位置座標、上記使用者端末機（１００）の使用国を類推することのできる上記使用者端末機（１００）の環境設定情報などが含まれることができる。しかし、本発明の範囲がこれに限定されるのではない。
【００６９】
使用者端末機（１００）の位置関連情報が受信されると、上記制御部（２３０）は上記使用者端末機（１００）の位置関連情報に基づいて上記使用者端末機（１００）に対応する国を決める（Ｓ５２０）。その後、上記制御部（２３０）は上記使用者端末機（１００）に対応する国の通貨を商品販売サイトでの決済通貨として決める（Ｓ５３０）。
図１４は図１３に示したクレジットカード決済方法の一例を示す流れ図である。以下、必要な図面を参照して上記クレジットカード決済方法を説明する。
【００７０】
まず、上記サーバー（２００）のメモリー（２１０）に商品販売サイトの運営通貨に対する為替情報及び各国の通貨情報が保存される（Ｓ５００）。そして、商品販売サイトに接続した使用者端末機（１００）から上記使用者端末機（１００）の位置座標が受信される（Ｓ５１１）。上記使用者端末機（１００）の位置座標はＧＰＳモジュールによって獲得されたＧＰＳ座標であることができる。また、上記使用者端末機（１００）の位置座標は赤外線基盤、超音波基盤、ブルートゥース基盤などの室内測位技術で獲得されたものであることもできる。また、上記使用者端末機（１００）の位置座標はＣＤＭＡ基盤、ＯＦＤＭ基盤の室外測位技術で獲得されたものであることもできる。しかし、本発明の範囲が上述した例に限定されるのではない。
【００７１】
使用者端末機（１００）の位置座標が受信されると、上記制御部（２３０）は上記使用者端末機（１００）の位置関連情報に基づいて上記使用者端末機（１００）が位置した国を決める（Ｓ５２１）。その後、上記制御部（２３０）は上記使用者端末機（１００）が位置した国の通貨を商品販売サイトでの決済通貨として決める（Ｓ５３１）。
図１５は図１３に示したクレジットカード決済方法の他の例を示す流れ図である。以下、必要な図面を参照して上記クレジットカード決済方法を説明する。
【００７２】
まず、上記サーバー（２００）のメモリー（２１０）に商品販売サイトの運営通貨に対する為替情報及び各国の通貨情報が保存される（Ｓ５００）。そして、商品販売サイトに接続した使用者端末機（１００）から上記使用者端末機（１００）の環境設定情報が受信される（Ｓ５２０）。上記使用者端末機（１００）の環境設定情報には上記使用者端末機（１００）の使用国、使用言語、上記使用者端末機（１００）が利用する通信網を提供する会社（会社が属する国）などが含まれることができる。しかし、本発明の範囲がこれに限定されるのではない。
【００７３】
使用者端末機（１００）の環境設定情報が受信されると、上記制御部（２３０）は上記使用者端末機（１００）の環境設定情報に基づいて上記使用者端末機（１００）の使用国を決める（Ｓ５２２）。その後、上記制御部（２３０）は上記使用者端末機（１００）の使用国の通貨を商品販売サイトでの決済通貨として決める（Ｓ５３２）。
【００７４】
以上、図１３〜図１５を参照して説明された本実施例において、上記制御部（２３０）は決済通貨を選択するための使用者インターフェースを上記使用者端末機（１００）に提供したり、決済通貨を決める際に利用されるクレジットカード識別番号を入力するための使用者インターフェースを上記使用者端末機（１００）に提供することもできる。
【００７５】
上述した使用者インターフェースを通じて獲得される情報を利用して商品販売サイトでの決済通貨を決め、上記決まった通貨を利用して選択された商品に対する決済を行うのは上で説明したので、これに対する詳細な説明は省略する。
【００７６】
以上で説明された本発明による商品販売サイト管理サーバー（２００）で行われるクレジットカード決済方法それぞれは多様なコンピューター手段を通じて実行されることができるプログラム形態で具現され、コンピューターで判読可能な媒体に記録されることができる。上記コンピューターで判読可能な媒体はプログラム命令、データファイル、データ構造などを単独または組み合わせて含むことができる。上記媒体に記録されるプログラムは本発明のために特別に設計されて構成されたもの、またはコンピューターソフトウェアの当業者に公知されて使用可能なものであることもできる。
【００７７】
コンピューターで判読可能な記録媒体の例にはハードディスク、プロッピィーディスク及び磁気テープのような磁気媒体（ｍａｇｎｅｔｉｃ  ｍｅｄｉａ）、ＣＤ−ＲＯＭ、ＤＶＤのような光学記憶媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、及びロム（Ｒｅａｄ  Ｏｎｌｙ  Ｍｅｍｏｒｙ）（ＲＯＭ）、ラム（ＲＡＭ）、フラッシュメモリーなどのようなプログラム命令を保存して実行するように特別に構成されたハードウェア装置が含まれる。プログラムの例にはコンパイラによって作られたような機械語コードだけではなくインタプリターなどを使ってコンピューターによって実行されることができる高級言語コードを含む。上記したハードウェア装置は本発明の動作を行うために一つ以上のソフトウェアモジュールとして作動するように構成されることができる。
【００７８】
以上のように、本発明は限定された実施例及び図面によって説明されたが、本発明は上記の実施例に限定されるのではなく、本発明が属する分野において通常の知識を有する者であればこのような記載から多様な修正及び変形が可能である。
【００７９】
従って、本発明の範囲は説明された実施例に限定されてきまるのではなく、後述する特許請求範囲及びこの特許請求範囲と均等なものなどによって定められるべきである。
【図１】
2015531931.tif 000003
【図２】
2015531931.tif 000004
【図３】
2015531931.tif 000005
【図４】
2015531931.tif 000006
【図５】
2015531931.tif 000007
【図６】
2015531931.tif 000008
【図７】
2015531931.tif 000009
【図８】
2015531931.tif 000010
【図９】
2015531931.tif 000011
【図１０】
2015531931.tif 000012
【図１１】
2015531931.tif 000013
【図１２】
2015531931.tif 000014
【図１３】
2015531931.tif 000015
【図１４】
2015531931.tif 000016
【図１５】
2015531931.tif 000017
【国際調査報告】
2015531931.tif 000018
2015531931.tif 000019
2015531931.tif 000020
2015531931.tif 000021